(57)【要約】【課題】複数のリモコン操作による複数の機能の記録を行うことにより操作性を向上させ、リモコン側での処理を簡単にする。【解決手段】リモートコントロール制御システムの制御装置２は、リモコン１から送信されるコントロール信号に関するデータを記録することが可能な記録装置３に対して、リモコン１からの任意の複数操作に基づくコントロール信号を受信したときに保存モード部８から複数操作に基づくコントロール信号に関するデータを保存する。リモコン１からの１回の操作によって、記録装置３に保存した複数操作によるコントロール信号に関するデータを保存内容実行部７により読み出し、複数操作によるコントロール信号に関するデータに基づく複数の機能の制御動作を実行モード部９により一括して実行する。【選択図】図１
2007150867.tif 000002
【特許請求の範囲】
【請求項１】
リモートコントローラから送信されるコントロール信号を受信して上記コントロール信号に基づいて制御装置で各種機能の制御動作を実行するリモートコントロール制御システムにおいて、
上記制御装置は、
上記リモートコントローラから送信されるコントロール信号に関するデータを記録することが可能な記録部と、
上記リモートコントローラからの任意の複数操作に基づくコントロール信号を受信したときに上記記録部に上記複数操作に基づくコントロール信号に関するデータを保存する保存部と、
上記リモートコントローラからの１回の操作によって、上記記録部に保存した上記複数操作によるコントロール信号に関するデータを読み出し、上記複数操作によるコントロール信号に関するデータに基づく複数の機能の制御動作を一括して実行する実行部と
を備えたことを特徴とするリモートコントロール制御システム。
【請求項２】
上記保存部及び上記実行部は、上記リモートコントローラからの特定のコントロール信号をトリガとして上記保存及び上記実行を行うことを特徴とする請求項１に記載のリモートコントロール制御システム。
【請求項３】
上記保存部は、上記複数操作による複数の連続した機能の制御動作を可能とする複数の連続したコントロール信号に関するデータを上記記録部に保存する
ことを特徴とする請求項１に記載のリモートコントロール制御システム。
【請求項４】
上記保存部は、上記複数操作による複数の機能の制御動作を可能とする複数のコントロール信号に関するデータを上記記録部に保存する際に、上記複数の機能の制御動作の間の時間設定を共に保存することを特徴とする請求項１に記載のリモートコントロール制御システム。
【請求項５】
上記保存部は、上記複数の機能の制御動作を認識可能なコントロール信号を送信する任意のリモートコントローラからのコントロール信号に関するデータを上記記録部に保存することを特徴とする請求項１に記載のリモートコントロール制御システム。
【請求項６】
上記保存部は、上記リモートコントローラからの特定のコントロール信号をトリガとして上記記録部に保存した上記複数操作によるコントロール信号に関するデータを消去又は再設定することを特徴とする請求項１に記載のリモートコントロール制御システム。
【請求項７】
上記保存部は、上記リモートコントローラからの任意の複数操作に基づくコントロール信号に関するデータとして、上記リモートコントローラからの任意の複数操作に基づく複数の機能コード又は上記リモートコントローラからの任意の複数操作に基づく操作メニューを上記記録装置に保存する
ことを特徴とする請求項１に記載のリモートコントロール制御システム。
【請求項８】
上記保存部は、上記複数操作に基づく操作メニューとして、上位から下位までの階層の操作設定のうちの複数の階層にわたる操作メニューを上記記録部に保存する
ことを特徴とする請求項７に記載のリモートコントロール制御システム。
【請求項９】
上記保存部は、上記複数操作に基づく操作メニューを上記記録部に保存する際に、上記操作メニューによる複数操作の制御動作の間の時間設定を共に保存することを特徴とする請求項８に記載のリモートコントロール制御システム。
【請求項１０】
リモートコントローラから送信されるコントロール信号を受信して上記コントロール信号に基づいて制御装置で各種機能の制御動作を実行するリモートコントロール制御方法において、
上記リモートコントローラから送信される任意の複数操作に基づくコントロール信号を受信して上記複数操作に基づくコントロール信号を制御可能にデコードするステップと、
上記複数操作に基づくコントロール信号のデコード結果を保存するステップと、
上記リモートコントローラからの１回の操作によって、上記保存した上記複数操作によるコントロール信号を読み出し、上記複数操作によるコントロール信号に基づく複数の機能の制御動作を一括して実行するステップと
を含むことを特徴とするリモートコントロール制御方法。
【請求項１１】
上記保存ステップは、上記リモートコントローラからの任意の複数操作に基づくコントロール信号に関するデータが、上記リモートコントローラからの任意の複数操作に基づく複数の機能コード又は上記リモートコントローラからの任意の複数操作に基づく操作メニューであるかを判断して、上記複数操作に基づく複数の機能コード又は上記複数操作に基づく操作メニューを上記記録装置に保存する
ことを特徴とする請求項１０に記載のリモートコントロール制御方法。
【請求項１２】
上記保存ステップは、上記複数操作に基づく操作メニューとして、上位から下位までの階層の操作設定のうちの複数の階層にわたる操作メニューを保存する
ことを特徴とする請求項１１に記載のリモートコントロール制御方法。
【請求項１３】
上記保存ステップは、上記複数操作に基づく操作メニューを保存する際に、上記操作メニューによる複数操作の制御動作の間の時間設定を共に保存することを特徴とする請求項１２に記載のリモートコントロール制御方法。
【発明の詳細な説明】
【技術分野】
【０００１】
本発明は、例えば、リモートコントローラから送信されるコントロール信号に基づいて制御装置で各種機能の制御動作を実行するリモートコントロール制御システム及びリモートコントロール制御方法に関する。
【背景技術】
【０００２】
従来、他のリモートコントローラ（以下、単に「リモコン」という。）からの信号を受信してその受信した信号の機能を記憶する学習リモコンにおいて、受信した信号のレベルを表示する信号レベル表示部と、受信した信号の到来方向を表示する方向表示部とを備え、操作の保存が可能な学習リモコンが提案されていた（特許文献１参照）。
【０００３】
上述したような学習リモコンでは、単数のリモコン操作による機能であれば、リモコン側に記録部を付加することによって単数のリモコン操作による機能をリモコン側の記録部に記録することは可能であった。
【特許文献１】特開平７−２４０９７７号公報
【発明の開示】
【発明が解決しようとする課題】
【０００４】
しかし、リモコンによる操作は、通常、複数の操作が連続して行われることが多いが、上述したような学習リモコンでは、複数のリモコン操作による複数の機能の記録を行うことができないため、単数のリモコン操作を複数回繰り返し行わなければならないこととなり、操作性が低下するという不都合が合った。
【０００５】
また、リモコン側に記録部を付加する分だけコストが増大すると共に、リモコン操作の処理が増えるため、処理が煩雑になり設定方法が複雑になるという不都合が合った。
そこで、本発明は、複数のリモコン操作による複数の機能の記録を行うことにより操作性を向上させ、リモコン側での処理を簡単にすることができるリモートコントロール制御システム及びリモートコントロール制御方法を提供することを目的とするものである。
【課題を解決するための手段】
【０００６】
上記課題を解決し、本発明の目的を達成するため、本発明のリモートコントロール制御システムでは、制御装置は、リモートコントローラから送信されるコントロール信号に関するデータを記録することが可能な記録部と、リモートコントローラからの任意の複数操作に基づくコントロール信号を受信したときに記録部に複数操作に基づくコントロール信号に関するデータを保存する保存部と、リモートコントローラからの１回の操作によって、記録部に保存した複数操作によるコントロール信号に関するデータを読み出し、複数操作によるコントロール信号に関するデータに基づく複数の機能の制御動作を一括して実行する実行部とを備えたものである。
【０００７】
これにより、制御装置では、リモートコントローラから送信されるコントロール信号に関するデータを記録することが可能な記録部に、保存部はリモートコントローラからの任意の複数操作に基づくコントロール信号を受信したときに複数操作に基づくコントロール信号に関するデータを保存する。実行部は、リモートコントローラからの１回の操作によって、記録部に保存した複数操作によるコントロール信号に関するデータを読み出し、複数操作によるコントロール信号に関するデータに基づく複数の機能の制御動作を一括して実行する。
【０００８】
また、本発明のリモートコントロール制御方法は、リモートコントローラから送信される任意の複数操作に基づくコントロール信号を受信して複数操作に基づくコントロール信号を制御可能にデコードするステップと、複数操作に基づくコントロール信号のデコード結果を保存するステップと、リモートコントローラからの１回の操作によって、保存した複数操作によるコントロール信号を読み出し、複数操作によるコントロール信号に基づく複数の機能の制御動作を一括して実行するステップとを含むものである。
【０００９】
これにより、まず、リモートコントローラから送信される任意の複数操作に基づくコントロール信号を受信して複数操作に基づくコントロール信号を制御可能にデコードし、複数操作に基づくコントロール信号のデコード結果を保存する。そして、リモートコントローラからの１回の操作によって、保存した複数操作によるコントロール信号を読み出し、複数操作によるコントロール信号に基づく複数の機能の制御動作を一括して実行する。
【発明の効果】
【００１０】
本発明によれば、リモートコントローラからの任意の複数操作によるコントロール信号に基づく複数の機能を受信側で保存し、保存した複数操作によるコントロール信号に基づく複数の機能を、リモートコントローラからの１回の操作によって一括で実行ことができる。
【００１１】
従って、複数のリモートコントローラからの任意の複数操作による複数の機能の保存を行うことにより操作性を向上させることができ、リモートコントローラ側での処理を簡単にすることができるという効果を奏する。
【発明を実施するための最良の形態】
【００１２】
以下に、本発明の実施の形態について、適宜、図面を参照しながら詳細に説明する。
図１は、本実施の形態によるリモコン操作記録システムの構成図である。
図１は、リモコン操作記録システムに使用される制御装置についての構成を示すものであり、リモコンによって各種機能の制御を行う機器全般(アンプ、チューナー、レコーダー、プレーヤーなどのAV機器)に適用されるものである。
【００１３】
図１において、リモコン１は、赤外線・超音波等を使用して、予め定義されたコントロール信号を制御装置２の受信部４へ送信する機能を有するものであり、リモコン１による操作内容の保存及び操作内容の実行のコントロール信号を送信可能なものである。
【００１４】
制御装置２は、リモコン１からのコントロール信号を受信部４で受信し、図示しないマイクロプロセッサー等により構成されるデコード部５により、受信部４で受信したコントロール信号をデコードする機能を有するものである。
また、制御装置２は、図示しないマイクロプロセッサー等により構成される制御処理部１０によりデコードされたコントロール信号のデータ毎に定義された制御動作を行う機能を有するものである。
【００１５】
また、制御装置２の制御処理部１０内部でリモコン１による操作内容の保存及び操作内容の実行機能のコントロール信号が定義されている。
記録装置３は、制御装置２に接続され、又は制御装置２内部に設けられ、制御装置２の受信部４で受信したコントロール信号のデコードされたデータの保存を行うものである。
【００１６】
図１に示すリモートコントロール制御システムは、リモコン１から送信されるコントロール信号を制御装置２の受信部４で受信して、リモコン１から送信されるコントロール信号に関するデータを記録装置３に保存し、記録装置３に保存したコントロール信号に基づいて制御装置２で各種機能の制御動作を実行するものである。以下に、制御装置２の詳細な構成を説明する。
【００１７】
ここで、制御装置２は、リモコン１からの任意の複数操作に基づくコントロール信号を受信したときに記録装置３に複数操作に基づくコントロール信号の機能操作１４に関するデータを１６に示すように保存する保存モード部８を有している。
【００１８】
また、制御装置２は、リモコン１からの１回の保存内容実行１３の操作によって、記録装置３に保存した複数操作によるコントロール信号に関するデータを１８に示すように読み出す保存内容実行部７と、リモコン１からの１回の保存内容実行１３の操作によって、複数操作によるコントロール信号に関するデータに基づく複数の機能の制御動作を一括して実行する実行モード部９とを有している。
【００１９】
また、制御装置２は、リモコン１からの保存開始又は停止１２のコントロール信号をトリガとして、保存モード部８に対する複数操作によるコントロール信号に関するデータの保存開始又は停止、保存内容実行部７に対する保存した複数操作によるコントロール信号に関するデータの読み出し及び実行モード部９に対する複数操作によるコントロール信号に関するデータに基づく複数の機能の制御動作の一括した実行への切替を行う操作保存の開始・停止部（保存・実行モード切替）６を有している。
【００２０】
これにより、保存モード部８、保存内容実行部７及び実行モード部９は、リモコン１からの保存開始又は停止１２のコントロール信号をトリガとする操作保存の開始・停止部（保存・実行モード切替）６からのトリガ信号により保存、読み出し及び実行を行う。
【００２１】
保存モード部８は、複数操作による複数の連続した機能の制御動作を可能とする複数の連続したコントロール信号に関するデータである機能コードＡ（２０）、機能コードＢ（２１）、機能コードＣ（２２）、・・・を記録装置３に保存する。
【００２２】
また、保存モード部８は、複数操作による複数の機能の制御動作を可能とする複数のコントロール信号に関するデータを記録装置３に保存する際に、複数の機能の制御動作の間の時間設定を共に保存するものである。
【００２３】
また、保存モード部８は、複数の機能の制御動作を認識可能なコントロール信号を送信する任意のリモコン１からのコントロール信号に関するデータを記録装置３に保存するものである。
【００２４】
また、保存モード部８は、リモコン１からの特定のコントロール信号をトリガとして記録装置３に保存した複数操作によるコントロール信号に関するデータを消去又は再設定するものである。
【００２５】
また、制御装置２は、リモコン１からのメニュー操作１５のコントロール信号により、複数操作に基づく操作メニューとして、上位から下位までの階層の操作設定のうちの複数の階層にわたる操作メニューＡ（２３）、・・・を記録装置３に１７に示すように保存する操作メニュー保存部１１を有している。
【００２６】
ここで、２４で示す操作保存メニュー例（階層）に挙げたように、チューナーの受信設定２５の下位の音量調整２５を音量上昇に２８のように設定すると共に、チューナーの受信設定２５の下位のチャンネル選局２７を１チャンネル選局に２８のように設定する。
【００２７】
これにより、リモコン１からの任意の複数操作に基づくコントロール信号に関するデータとして、保存モード部８は、リモコン１からの任意の複数操作に基づく複数の機能コードＡ（２０）、機能コードＢ（２１）、機能コードＣ（２２）、・・・を記録装置３に保存し、又は操作メニュー保存部１１は、リモコン１からの任意の複数操作に基づく操作メニューＡ（２３）、・・・を記録装置３に保存する。
【００２８】
また、操作メニュー保存部１１は、複数操作に基づく操作メニューＡ（２３）、・・・を記録装置３に保存する際に、操作メニューによる複数操作の制御動作の間の時間設定を共に保存するものである。
【００２９】
このように構成された図１に示すリモートコントロール制御システムの動作を以下に説明する。
図２は、制御装置のリモコン操作記録の動作を示すフローチャートである。
図２において、まず、制御装置２は、リモコン１からのコントロール信号を受信する（ステップＳ１）。具体的には、制御装置２の受信部４は、リモコン１からのコントロール信号を受信する。
【００３０】
次に、制御装置２は、受信したリモコン１からのコントロール信号をデコードする（ステップＳ２）。具体的には、制御装置２のデコード部５は、受信部４で受信したコントロール信号を制御処理部１０により制御可能にデコードする。
【００３１】
ここで、制御装置２は、コントロール信号のデコード結果を保存する（ステップＳ３）。具体的には、制御装置２の保存モード部８は、リモコン１からの任意の複数操作に基づくコントロール信号のデコード結果を記録装置３に複数操作に基づくコントロール信号の機能操作１４に関するデータとして１６に示すように保存する。
【００３２】
このとき、操作保存の開始・停止部（保存・実行モード切替）６は、リモコン１からの保存開始１２のコントロール信号をトリガとして、保存モード部８に対する複数操作によるコントロール信号に関するデータの保存開始の切替を行う。
【００３３】
次に、制御装置２は、保存したコントロール信号のデコード結果を実行する（ステップＳ４）。具体的には、制御装置２の保存内容実行部７は、リモコン１からの１回の保存内容実行１３の操作によって、記録装置３に保存した複数操作によるコントロール信号に関するデータを１８に示すように読み出す。
【００３４】
そして、実行モード部９は、リモコン１からの１回の保存内容実行１３の操作によって、複数操作によるコントロール信号に関するデータに基づく複数の機能の制御動作を一括して実行する。
【００３５】
このとき、操作保存の開始・停止部（保存・実行モード切替）６は、リモコン１からの保存停止１２のコントロール信号をトリガとして、保存内容実行部７に対する保存した複数操作によるコントロール信号に関するデータの読み出し、及び実行モード部９に対する複数操作によるコントロール信号に関するデータに基づく複数の機能の制御動作の一括した実行への切替を行う。
【００３６】
そして、制御装置２は、読み出した複数操作によるコントロール信号のデコード結果に基づいて動作を制御する（ステップＳ５）。具体的には、制御装置２の制御処理部１０は、実行モード部９からの実行データ１９に対応する機能の制御を行う。
【００３７】
図３は、コントロール信号のデコード結果の保存の動作を示すフローチャートである。
図３において、まず、制御装置２は、操作内容の保存を開始するか否かを判断する（ステップＳ１１）。具体的には、制御装置２の操作保存の開始・停止部（保存・実行モード切替）６は、リモコン１からの保存開始１２のコントロール信号をトリガとした、保存モード部８に対する複数操作によるコントロール信号に関するデータの保存開始の切替があるか否かを判断する。
【００３８】
ステップＳ１１の判断で、操作内容の保存を開始するときは、制御装置２の操作保存の開始・停止部（保存・実行モード切替）６は、保存すべき操作内容が複数の機能であるか又は操作メニューであるか否かを判断する（ステップＳ１２）。
【００３９】
具体的には、制御装置２の操作保存の開始・停止部（保存・実行モード切替）６は、リモコン１からの任意の複数操作に基づくコントロール信号を受信したときに、保存モード部８が記録装置３に複数操作に基づくコントロール信号の機能操作１４に関する複数の機能コードを保存するのか、又はリモコン１からのメニュー操作１５のコントロール信号により、操作メニュー保存部１１が複数操作に基づく操作メニューとして、上位から下位までの階層の操作設定のうちの複数の階層にわたる操作メニューを記録装置３に保存するのかを判断する。
【００４０】
ステップＳ１２の判断で、保存すべき操作内容が複数の機能であるときは、制御装置２は、コントロール信号のデコード結果の機能コードを記録装置３に保存する（ステップＳ１３）。具体的には、制御装置２の保存モード部８は、複数操作に基づくコントロール信号の機能操作１４に関する複数の機能コードＡ（２０）、機能コードＢ（２１）、機能コードＣ（２２）、・・・を記録装置３に１６に示すように保存する。
【００４１】
ステップＳ１２の判断で、保存すべき操作内容が操作メニューであるときは、制御装置２は、コントロール信号のデコード結果の操作メニューを記録装置３に保存する（ステップＳ１４）。具体的には、制御装置２の操作メニュー保存部１１は、複数操作に基づく操作メニューとして、上位から下位までの階層の操作設定のうちの複数の階層にわたる操作メニューＡ（２３）、・・・を記録装置３に１７に示すように保存する。
【００４２】
そして、制御装置２は、ステップＳ１３及びステップＳ１４で保存すべきデータが上限であるか否かを判断する（ステップＳ１５）。具体的には、制御装置２の保存モード部８及び操作メニュー保存部１１は、記録装置３の残容量に対する保存すべき複数の機能コード及び複数の階層にわたる操作メニューのデータ量を比較して、さらなるデータの保存が可能であるか否かを判断する。
【００４３】
ステップＳ１５の判断で、保存すべきデータが上限でないときは、ステップＳ１２へ戻って、ステップＳ１２〜ステップＳ１５までの判断及び処理を繰り返す。ステップＳ１５の判断で、保存すべきデータが上限であるときは、制御装置２は、記録装置３へのデータの保存を停止する（ステップＳ１６）。
【００４４】
具体的には、制御装置２の保存モード部８及び操作メニュー保存部１１は、記録装置３の残容量に対する保存すべき複数の機能コード及び複数の階層にわたる操作メニューのデータ量を比較して保存すべきデータが上限であると判断したときは、さらなるデータの保存が不可能であるため記録装置３への複数の機能コード及び複数の階層にわたる操作メニューのデータの保存を停止する。
【００４５】
また、データの上限の有無にかかわらず、制御装置２の操作保存の開始・停止部（保存・実行モード切替）６は、リモコン１からの保存停止１２のコントロール信号をトリガとした、保存モード部８に対する複数操作によるコントロール信号に関するデータの保存停止の切替があったときも、データの保存を停止する。
【００４６】
これにより、リモコン１から送信される操作保存開始のコントロール信号をトリガとして、制御装置２は以後に受信したコントロール信号の複数の機能コード及び複数の階層にわたる操作メニューのデコード結果を記録装置３に保存していく。
【００４７】
また、記録できるデータ上限については記録装置３の容量及びデコード結果のデータ量によって決定される。保存停止もまた、操作保存停止のコントロール信号によって、受信されるコントロール信号の複数の機能コード及び複数の階層にわたる操作メニューの記録装置３への保存を停止する。
【００４８】
また、受信機器側に制御装置２によって制御される操作メニュー画面等を表示する表示装置がある場合には、その表示装置に対する操作メニューの保存設定を行うことが可能となる。
【００４９】
図４は、コントロール信号のデコード結果の実行の動作を示すフローチャートである。
図４において、まず、制御装置２は、保存した操作内容を実行するか否かを判断する（ステップＳ２１）。具体的には、制御装置２の操作保存の開始・停止部（保存・実行モード切替）６は、リモコン１からの保存内容実行１３及び機能操作１４のコントロール信号により、保存内容実行部７に対する保存した複数操作によるコントロール信号に関するデータの読み出し、及び実行モード部９に対する複数操作によるコントロール信号に関するデータに基づく複数の機能の制御動作の一括した実行への切替を行うか否かを判断する。
【００５０】
ステップＳ２１の判断で、保存した操作内容の実行を開始するときは、制御装置２の操作保存の開始・停止部（保存・実行モード切替）６は、実行すべき操作内容が複数の機能であるか又は操作メニューであるか否かを判断する（ステップＳ２２）。
【００５１】
具体的には、制御装置２の保存内容実行部７は、リモコン１からの保存内容実行１３のコントロール信号を受信したときに、保存内容実行部７が記録装置３から複数の機能コードを読み出して、実行モード部９が複数操作に基づくコントロール信号の機能操作１４に関する複数の機能コードを実行するのか、又はリモコン１からのメニュー操作１５のコントロール信号により、保存内容実行部７が記録装置３から複数操作に基づく操作メニューを読み出して、実行モード部９が複数操作に基づく操作メニューとして、上位から下位までの階層の操作設定のうちの複数の階層にわたる操作メニューを実行するのかを判断する。
【００５２】
ステップＳ２２の判断で、実行すべき操作内容が複数の機能であるときは、制御装置２は、保存したコントロール信号のデコード結果の機能コードを記録装置３から読み出す（ステップＳ２３）。具体的には、制御装置２の保存内容実行部７は、記録装置３に保存した複数操作に基づくコントロール信号の機能操作１４に関する複数の機能コードＡ（２０）、機能コードＢ（２１）、機能コードＣ（２２）、・・・を１８に示すように記録装置３から読み出す。
【００５３】
ステップＳ２２の判断で、実行すべき操作内容が操作メニューであるときは、制御装置２は、保存したコントロール信号のデコード結果の操作メニューを記録装置３から読み出す（ステップＳ２４）。具体的には、制御装置２の保存内容実行部７は、記録装置３に保存した複数操作に基づく操作メニューとして、上位から下位までの階層の操作設定のうちの複数の階層にわたる操作メニューＡ（２３）、・・・を１８に示すように記録装置３から読み出す。
【００５４】
そして、制御装置２は、ステップＳ２３及びステップＳ２４でデータを読み出して実行すべき操作が終了したか否かを判断する（ステップＳ２５）。具体的には、制御装置２の保存内容実行部７は、記録装置３に保存した複数操作に基づくコントロール信号の機能操作１４に関する他の複数の機能コード又は操作メニューの読み出しがないときに、データの読み出し及び実行処理を終了する。
【００５５】
また、制御装置２の操作保存の開始・停止部（保存・実行モード切替）６は、リモコン１からの保存開始１２のコントロール信号をトリガとした、保存モード部８に対する複数操作によるコントロール信号に関するデータの保存開始の切替があったときも、データの読み出し及び実行処理を終了する。
【００５６】
ステップＳ２５の判断で、データの読み出し及び実行処理を終了しないときは、ステップＳ２２へ戻って、ステップＳ２２〜ステップＳ２５までの判断及び処理を繰り返す。ステップＳ２５の判断で、データの読み出し及び実行処理を終了するときは、制御装置２は、読み出された複数の機能コード又は操作メニューに基づいて制御処理を実行する（ステップＳ２６）。具体的には、制御装置２の実行モード部９は、読み出された複数の機能コード又は操作メニューに基づいて制御処理部１０に対して１９に示すように制御処理を実行する。
【００５７】
これにより、リモコン１より保存操作実行１３のコントロール信号が送信されることで、制御装置２は記録装置３に保存された複数個のコントロール信号のデコード情報を読み出し、順番に各々で定義された制御動作を行う。そのときに実行される制御動作はコントロール信号を個々に受信した場合と同じプロセスで実行を行う。
【００５８】
従って、リモコン１の複数操作をユーザーの自由に設定すると共に一括実行を行うことができる。また、任意の個々の操作を記録しておくことで、連続した操作の一括実行の機能ボタンとして使用することができる。特に、繰り返し行うような連続した複数の操作がある場合、それら複数の操作をリモコン１における実行ボタンのワンタッチにより一括実行が可能となる。
【００５９】
また、よく調整する項目が受信機器側の制御装置２に設けられる操作メニューの上位から下位までの深い階層内の複数操作の内にあった場合、その項目を選択するまでの連続した複数の操作メニューを保存することで、調整項目の操作メニューへの移行を容易に行なうことができる。
【００６０】
また、受信機器側の制御装置２に付属されている専用のリモコン１に無い機能ボタンについても、受信機器側の制御装置２がそのコントロール信号に対応していれば、他のリモコンを用いても上述と同様の複数操作の記録を行なうことができるので、専用のリモコン１に無い機能ボタンを制御装置２及び記録装置３に登録することで機能ボタンの追加を行うことができる。
【００６１】
また、受信機器側の制御装置２から記録装置３に複数操作の保存を行うため、従来の学習リモコンのようにリモコン側に記録部を付加する必要がなく、コストを安価にすることができ、処理を簡単にすることができる。
【００６２】
また、受信機器側の制御装置２のインターフェースを使用して記録装置３への複数操作の保存設定を行うことができるため、制御装置２における保存設定を容易に行うことができる。
また、ユーザーが自由にリモコン１から操作を設定することができるため、操作の組み合わせによって自由な機能を設定することができる。
【００６３】
図５は、操作メニューの組み合わせの例を示す図である。図５は、チューナーの操作メニューの組み合わせの例である。
図５において、まず、制御装置２はチャンネル１の選局の操作メニューの保存を行う（ステップＳ３１）。具体的には、制御装置２の操作メニュー保存部１１は、複数操作に基づく操作メニューとして、図１の２４で示す操作保存メニュー例（階層）に挙げたように、受信設定２５の下位のチャンネル選局２７を１チャンネル選局に２８のように設定する。
【００６４】
そして、制御装置２はステップＳ３１のチャンネル１の選局操作をｔ秒間継続する設定の保存を行う（ステップＳ３２）。具体的には、制御装置２の操作メニュー保存部１１は、複数操作に基づく操作メニューとして、受信設定２５の下位のタイマー停止をｔ秒に設定する。
【００６５】
次に、制御装置２はチャンネル２の選局の操作メニューの保存を行う（ステップＳ３３）。具体的には、制御装置２の操作メニュー保存部１１は、複数操作に基づく操作メニューとして、図１の２４で示す操作保存メニュー例（階層）に挙げたように、受信設定２５の下位のチャンネル選局２７を２チャンネル選局に設定する。
【００６６】
そして、制御装置２はステップＳ３３のチャンネル２の選局操作をｔ秒間継続する設定の保存を行う（ステップＳ３４）。具体的には、制御装置２の操作メニュー保存部１１は、複数操作に基づく操作メニューとして、受信設定２５の下位のタイマー停止をｔ秒に設定する。
【００６７】
さらに、制御装置２はチャンネルｎの選局の操作メニューの保存を行う（ステップＳ３５）。具体的には、制御装置２の操作メニュー保存部１１は、複数操作に基づく操作メニューとして、図１の２４で示す操作保存メニュー例（階層）に挙げたように、受信設定２５の下位のチャンネル選局２７をｎチャンネル選局に設定する。
【００６８】
そして、制御装置２はステップＳ３１のチャンネルｎの選局操作をｔ秒間継続する設定の保存を行う（ステップＳ３６）。具体的には、制御装置２の操作メニュー保存部１１は、複数操作に基づく操作メニューとして、受信設定２５の下位のタイマー停止をｔ秒に設定する。
そして、ステップＳ３１へ戻って、ステップＳ３１〜ステップＳ３６の処理を繰り返す。
【００６９】
これにより、一定時間ｔ秒おきにチャンネル切り替えを行う操作を保存しておけば、リモコン１から実行ボタンを押すだけで全チャンネルが一通り自動で切り替わり、インデックス表示のような機能とすることもできる。
【００７０】
上述した本実施の形態に限らず、本発明の要旨を逸脱しない範囲内であれば、適宜、変更しうることはいうまでもない。
【図面の簡単な説明】
【００７１】
【図１】リモコン操作記録システムの構成図である。
【図２】制御装置のリモコン操作記録の動作を示すフローチャートである。
【図３】コントロール信号のデコード結果の保存の動作を示すフローチャートである。
【図４】コントロール信号のデコード結果の実行の動作を示すフローチャートである。
【図５】操作メニューの組み合わせの例を示す図である。
【符号の説明】
【００７２】
１…リモコン、２…制御装置、３…記録装置、４…受信部、５…デコード部、６…操作保存の開始・停止部（保存・実行モード切替）、７…保存内容実行部、８…保存モード部、９…実行モード部、１０…制御処理部、１１…操作メニュー保存部、１２…保存開始又は停止、１３…保存内容実行、１４…機能操作、１５…メニュー操作、１６…記録、１７…メニュー操作を用いて記録、１８…読み出し、２０…機能コードＡ、２１…機能コードＢ、２２…機能コードＣ、２３…操作メニューＡ
【図１】
2007150867.tif 000003
【図２】
2007150867.tif 000004
【図３】
2007150867.tif 000005
【図４】
2007150867.tif 000006
【図５】
2007150867.tif 000007